(57)【要約】  【課題】ＤＶＤ記録再生装置一体型テレビジョン受像機において、ＤＶＤ記録再生装置部の初期化が行われているときでも、電源が投入された後に直ちに放送番組を視聴できるようにする。  【解決手段】電源が投入されると、ＣＰＵ４１は増幅／検波回路４６から出力されるコンポジット信号ａを選択するように映像信号選択部４７を設定する。一方、ＣＰＵ２１は記録再生部２６等の初期化を行う。初期化が終了すると、ＣＰＵ２１は、信号経路３３を介してビデオエンコーダ３１に入力されるデジタル化された放送映像信号をエンコードしてＹ／Ｃ信号ｆを出力するようにビデオエンコーダ３１を設定すると共に、ＣＰＵ４１に初期化終了通知を送信する。この初期化終了通知を受信すると、ＣＰＵ４１はビデオエンコーダ３１から出力されるＹ／Ｃ信号ｆを選択するように映像選択部４７を設定する。【選択図】  図１
2005167740.tif 000002
【特許請求の範囲】
【請求項１】
放送信号を選局してコンポジット信号を出力する放送受信部と、コンポジット信号をＹ／Ｃ信号に変換した後にデジタル信号に変換するビデオデコーダと、前記デジタル信号をＤＶＤに記録すると共にＤＶＤに記録されたデータを再生する記録再生部と、前記再生されたデータをＹ／Ｃ信号に変換するビデオエンコーダと、前記コンポジット信号またはＹ／Ｃ信号のいずれかを選択する信号選択部と、信号選択部で選択された信号を表示する映像表示部と、を備えたＤＶＤ記録再生装置一体型テレビジョン受像機において、
前記ビデオデコーダで変換されたデジタル信号を前記ビデオエンコーダに入力する信号経路と、前記放送受信部および信号選択部を制御する第１制御部と、前記記録再生部、ビデオデコーダおよびビデオエンコーダを制御する第２制御部と、を設け、
前記第１制御部は、
電源が投入された後に前記信号選択部に前記コンポジット信号を選択させ、
前記第２制御部から初期化終了通知を受信したら前記信号選択部に前記Ｙ／Ｃ信号を選択させ、
前記第２制御部は、
電源が投入された後に前記記録再生部、ビデオデコーダおよびビデオエンコーダの初期化を行い、
前記初期化の終了後に前記ビデオエンコーダに前記信号経路から入力される信号を変換してＹ／Ｃ信号を出力させる共に前記第１制御部に前記初期化終了通知を送信し、
ＤＶＤのデータの再生中には前記ビデオエンコーダに前記再生されたデータを変換してＹ／Ｃ信号を出力させることを特徴とするＤＶＤ記録再生装置一体型テレビジョン受像機。
【請求項２】
放送信号を選局してコンポジット信号を出力する放送受信部と、コンポジット信号をＹ／Ｃ信号に変換した後にデジタル信号に変換するビデオデコーダと、前記デジタル信号を記録媒体に記録すると共に記録媒体に記録されたデータを再生する記録再生部と、前記再生されたデータをＹ／Ｃ信号に変換するビデオエンコーダと、前記コンポジット信号またはＹ／Ｃ信号のいずれかを選択する信号選択部と、信号選択部で選択された信号を表示する映像表示部と、を備えた記録再生装置一体型テレビジョン受像機において、
前記放送受信部、信号選択部、記録再生部、ビデオデコーダおよびビデオエンコーダを制御する制御部を設け、
前記制御部は、
電源が投入された後に前記記録再生部、ビデオデコーダおよびビデオエンコーダの初期化を行うと共に前記信号選択部に前記コンポジット信号を選択させることを特徴とする記録再生装置一体型テレビジョン受像機。
【請求項３】
請求項２に記載の記録再生装置一体型テレビジョン受像機において、
前記信号選択部は、前記コンポジット信号、前記再生されたデータが変換されたＹ／Ｃ信号または前記コンポジット信号が変換されたＹ／Ｃ信号のいずれかを選択し、
前記制御部は、
前記初期化の終了後に前記信号選択部に前記コンポジット信号が変換されたＹ／Ｃ信号を選択させ、
記録媒体のデータの再生中には前記信号選択部に前記再生されたデータが変換されたＹ／Ｃ信号を選択させることを特徴とする記録再生装置一体型テレビジョン受像機。
【発明の詳細な説明】
【技術分野】
【０００１】
本発明は、ＤＶＤ記録再生装置一体型テレビジョン受像機および記録再生装置一体型テレビジョン受像機の電源が投入されたときのテレビジョン受像機の映像の表示に関するものである。
【背景技術】
【０００２】
従来のＤＶＤ記録再生装置一体型テレビジョン受像機においては、リモートコントローラのキーが操作されたときにＤＶＤの再生映像を直ちに視聴できるように、電源が投入されるとＤＶＤ記録再生装置側の初期化処理が行われる。この初期化処理では、例えば、以下のことが行われる。ＤＶＤ記録再生装置の光ピックアップの位置を基準位置に移動させる。さらに、フラッシュメモリーに記憶されている、例えば、数百Ｋバイト程度のデータを制御部であるマイクロコンピュータ、他のメモリーおよび記録再生用の集積回路の内部レジスタ等にそのまま、または加工して設定する。このため、初期化処理に５秒程度の時間を要する。また、電源が投入されたときにＤＶＤが既にセットされている場合には、リモートコントローラのメニューキーが操作されたときにＤＶＤに記録されているタイトルのメニューを直ちにテレビジョン受像機に表示できるように、セットされているＤＶＤを再生し、メニュー表示に必要なデータをメモリーに記憶させる。このため、初期化処理に要する時間は更に長くなる。この初期化処理の間は、所定のオープニング画面がテレビジョン受像機に表示されている。
【０００３】
また、特許文献１には、ありきたりのオープニング画面ではなく視聴者の好みのオープニング画面が表示されるように、ＤＶＤの再生映像中の好みの部分の映像をメモリーに予め記憶させておき、この映像をオープニング画面の映像として使用することが示されている。
【特許文献１】特開２００３−０６９９５５号公報（要約）
【発明の開示】
【発明が解決しようとする課題】
【０００４】
しかしながら、上記従来のものにおいては、電源が投入されてから初期化処理が終了するまではオープニング画面が表示されるので、視聴者が放送番組を直ちに視聴することができないという問題がある。尚、特許文献１に示されるものは、上記の問題を解決するためのものではない。
【０００５】
本発明は、上記問題点を解決するものであって、その課題とするところは、電源を投入した後に直ちに放送番組を視聴することのできるＤＶＤ記録再生装置一体型テレビジョン受像機および記録再生装置一体型テレビジョン受像機を提供することにある。
【課題を解決するための手段】
【０００６】
本発明のＤＶＤ記録再生装置一体型テレビジョン受像機は、放送信号を選局してコンポジット信号を出力する放送受信部と、コンポジット信号をＹ／Ｃ信号に変換した後にデジタル信号に変換するビデオデコーダと、そのデジタル信号をＤＶＤに記録すると共にＤＶＤに記録されたデータを再生する記録再生部と、再生されたデータをＹ／Ｃ信号に変換するビデオエンコーダと、コンポジット信号またはＹ／Ｃ信号のいずれかを選択する信号選択部と、信号選択部で選択された信号を表示する映像表示部と、を備えたＤＶＤ記録再生装置一体型テレビジョン受像機において、ビデオデコーダで変換されたデジタル信号をビデオエンコーダに入力する信号経路と、放送受信部および信号選択部を制御する第１制御部と、記録再生部、ビデオデコーダおよびビデオエンコーダを制御する第２制御部と、を設ける。
【０００７】
第１制御部は、電源が投入された後に信号選択部にコンポジット信号を選択させ、第２制御部から初期化終了通知を受信したら信号選択部にＹ／Ｃ信号を選択させる。また、第２制御部は、電源が投入された後に記録再生部、ビデオデコーダおよびビデオエンコーダの初期化を行い、初期化の終了後にビデオエンコーダに信号経路から入力される信号を変換してＹ／Ｃ信号を出力させる共に第１制御部に初期化終了通知を送信し、ＤＶＤのデータの再生中にはビデオエンコーダに再生されたデータを変換してＹ／Ｃ信号を出力させる。
【０００８】
このようにすることで、電源が投入された後に記録再生部等の初期化が行われているときには、信号選択部でコンポジット信号が選択され、コンポジット信号によって映像表示部に放送映像が表示される。これにより、記録再生部等の初期化処理の終了を待つことなく、電源を投入した後に直ちに放送番組を視聴することができる。また、初期化が終了した後には、Ｙ／Ｃ信号によって映像表示部に放送映像が表示されるので、コンポジット信号により放送映像を表示するときに生じる問題（例えば、輝度信号中に僅かに残留している色信号によって生じるドット妨害や、色信号に輝度信号が混入するために生じるクロスカラー）が生じることがなく、綺麗な放送映像を鑑賞することができる。さらに、Ｙ／Ｃ信号を生成するために使用される高価なＹ／Ｃ分離回路は、放送信号を録画する場合および放送信号をそのまま鑑賞する場合で共用される。これにより、ＤＶＤ記録再生装置一体型テレビジョン受像機をコストアップさせることなく、いずれの場合にも綺麗な放送映像を鑑賞することが可能となる。
【０００９】
また、本発明の記録再生装置一体型テレビジョン受像機は、放送信号を選局してコンポジット信号を出力する放送受信部と、コンポジット信号をＹ／Ｃ信号に変換した後にデジタル信号に変換するビデオデコーダと、このデジタル信号を記録媒体に記録すると共に記録媒体に記録されたデータを再生する記録再生部と、再生されたデータをＹ／Ｃ信号に変換するビデオエンコーダと、コンポジット信号またはＹ／Ｃ信号のいずれかを選択する信号選択部と、信号選択部で選択された信号を表示する映像表示部と、を備えた記録再生装置一体型テレビジョン受像機において、放送受信部、信号選択部、記録再生部、ビデオデコーダおよびビデオエンコーダを制御する制御部を設ける。この制御部は、電源が投入された後に記録再生部、ビデオデコーダおよびビデオエンコーダの初期化を行うと共に信号選択部にコンポジット信号を選択させる。
【００１０】
このようにすることで、電源が投入された後に記録再生部等の初期化が行われているときには、信号選択部でコンポジット信号が選択され、コンポジット信号によって映像表示部に放送映像が表示される。これにより、記録再生部等の初期化処理の終了を待つことなく、電源を投入した後に直ちに放送番組を視聴することができる。
【００１１】
本発明においては、信号選択部は、コンポジット信号、再生されたデータが変換されたＹ／Ｃ信号またはコンポジット信号が変換されたＹ／Ｃ信号のいずれかを選択する。そして、制御部は、初期化の終了後に信号選択部にコンポジット信号が変換されたＹ／Ｃ信号を選択させ、記録媒体のデータの再生中には信号選択部に再生されたデータが変換されたＹ／Ｃ信号を選択させる。
【００１２】
このようにすることで、初期化が終了した後には、Ｙ／Ｃ信号によって映像表示部に放送映像が表示されるので、コンポジット信号により映像を表示するときに生じる問題（例えば、上述のドット妨害およびクロスカラー）が生じることがなく、綺麗な放送映像を鑑賞することができる。さらに、Ｙ／Ｃ信号を生成するために使用される高価なＹ／Ｃ分離回路は、放送信号を録画する場合および放送信号をそのまま鑑賞する場合で共用される。これにより、記録再生装置一体型テレビジョン受像機をコストアップさせることなく、いずれの場合にも綺麗な放送映像を鑑賞することが可能となる。
【発明の効果】
【００１３】
本発明によれば、記録再生部等の初期化処理の終了を待つことなく、電源を投入した後に直ちに放送番組を視聴することができる。
【発明を実施するための最良の形態】
【００１４】
図１は、本発明に係るＤＶＤ記録再生装置一体型テレビジョン受像機１のブロック図であり、ＤＶＤ記録再生装置部２（以下、ＤＶＤ装置部２という）とテレビジョン受像機部４（以下、テレビ部４という）とから構成される。図の中央の縦の破線の左側がＤＶＤ装置部２であり、右側がテレビ部４である。また、図中の矢印付きの破線は制御信号の流れを示す。
【００１５】
アンテナ５３で受信された放送信号は、チューナ４５で選局され、増幅／検波回路４６に送られる。増幅／検波回路４６では、放送信号が増幅された後に、映像信号および音声信号ごとに検波される。検波された映像信号であるコンポジット信号ａはビデオデコーダ２８および映像信号選択部４７に送られる。また、検波された音声信号ｂはＡ／Ｄ変換器２９および音声信号選択部５０に送られる。コンポジット信号ａは、ビデオデコーダ２８に内蔵されたＹ／Ｃ分離回路で１つのＹ信号と２つのＣ信号に分離され（Ｙ／Ｃ信号に変換され）、その後デジタル化される。また、検波された音声信号ｂはＡ／Ｄ変換器２９でデジタル化される。このデジタル化された映像信号および音声信号はＭＰＥＧ２エンコーダ２７によって符号化される。
【００１６】
そして、符号化された映像信号および音声信号は、記録再生部２６で書き込み可能なＤＶＤ２５（例えば、ＤＶＤ−Ｒ、ＤＶＤ−ＲＷ等）に記録される。記録再生部２６は、ＤＶＤ２５にデータを書き込み、ＤＶＤ２５のデータを読み出すための光ピックアップ、符号化された映像信号および音声信号をＤＶＤ２５の書き込み信号に変調する変調回路、ＤＶＤ２５からの読み出し信号を復調する復調回路、ＤＶＤ２５を戴置して搬入出するためのトレイ、ＤＶＤ２５を回転させるための回転駆動機構等から構成される。記録再生部２６で再生されたＤＶＤ２５のデータは、ＭＰＥＧ２デコーダ３０で復号化される。
【００１７】
復号化された映像信号ｃ（ＤＶＤ２５の再生映像信号）はビデオエンコーダ３１に入力される。また、上述のビデオデコーダ２８でデジタル化された放送映像信号ｄも信号経路３３を介してビデオエンコーダ３１に入力される。そして、ビデオエンコーダ３１は、後述のＤＶＤ装置部２のＣＰＵ２１からの信号に従って、ＤＶＤ２５の再生映像信号ｃまたはビデオデコーダ２８でデジタル化された放送映像信号ｄのいずれかをＹ／Ｃ信号ｆにエンコードして出力し、映像信号選択部４７に送る。また、復号化された音声信号ｅは、Ｄ／Ａ変換器３２によってアナログ信号に変換され、音声信号選択部５０に送られる。尚、Ｙ／Ｃ信号ｆは１つのＹ信号と２つのＣ信号とからなるが、図１ではＹ／Ｃ信号を１本の線で示している。また、上述の記録再生部２６、ＭＰＥＧ２エンコーダ２７およびＭＰＥＧ２デコーダ３０が本発明の記録再生部に相当する。
【００１８】
ＤＶＤ装置部２には、ＣＰＵ２１、ＲＯＭ２２、ＲＡＭ２３およびフラッシュメモリー２４が設けられている。ＣＰＵ２１は、ＲＯＭ２２に格納されているプログラムを実行することよって、ＤＶＤ装置部２の各部（記録再生部２６等）の動作を制御する。ＲＡＭ２３は、各種の制御データ等の記憶領域およびＣＰＵ２１の演算作業領域として使用される。フラッシュメモリー２４には、記録再生部２６、ＭＰＥＧ２エンコーダ２７、ＭＰＥＧ２デコーダ３０、ビデオエンコーダ３１、ビデオデコーダ２８の設定データが保存されており、電源が投入されるとＣＰＵ２１がこれらの設定データを読み出して各部に設定する。この設定により各部が所望の動作をする。
【００１９】
テレビ部４にも、別にＣＰＵ４１、ＲＯＭ４２、ＲＡＭ４３および操作部４４が設けられている。ＣＰＵ４１は、ＲＯＭ４２に格納されているプログラムを実行することによって、テレビ部４の各部（チューナ４５等）の動作を制御する。ＲＡＭ４３は、各種の制御データ等の記憶領域およびＣＰＵ４１の演算作業領域として使用される。操作部４４は、例えば、多数の操作キーを備えた不図示のリモートコントローラである。リモートコントローラには、電源スイッチ、ＤＶＤ装置部２用の操作キー（例えば、再生キー）、テレビ部４用の操作キー（例えば、選局用のキー）が設けられている。いずれかの操作キーが押されると、ＣＰＵ４１は操作キーの種類に応じた処理を行う。また、ＤＶＤ装置部２用の操作キーが押された場合には、ＣＰＵ４１は操作キーの情報をＤＶＤ装置部２のＣＰＵ２１に送信する。
【００２０】
音声信号選択部５０は、放送音声信号ｂおよびＤＶＤ２５の再生音声信号ｇを入力し、ＣＰＵ４１からの信号に従っていずれか一方を出力する。音声信号選択部５０から出力された音声信号は、音声信号増幅部５１で増幅され、スピーカ５２から出力される。
【００２１】
映像信号選択部４７は、コンポジット信号ａおよびＹ／Ｃ信号ｆを入力し、ＣＰＵ４１からの信号に従っていずれか一方を出力する。この映像信号選択部４７から出力される映像信号は、映像信号処理／増幅部４８で信号処理および増幅が行われた後に映像表示部であるＣＲＴ４９に表示される。尚、上述の音声信号選択部５０および映像信号選択部４７は、例えば、アナログスイッチで構成される。
【００２２】
映像信号処理／増幅部４８は以下のように動作する。まず、コンポジット信号ａが入力されたときの動作について説明する。コンポジット信号ａから３．５８ＭＨｚ近傍の周波数帯域の信号を除去することによって輝度信号を取り出し、この輝度信号を増幅して輝度駆動信号ＹＤを出力する。また、コンポジット信号ａから垂直同期信号および水平同期信号を抽出し、両信号から垂直走査信号および水平走査信号を生成し、両走査信号を増幅して垂直走査駆動信号ＶＤおよび水平走査駆動信号ＨＤを出力する。さらに、３．５８ＭＨｚを中心周波数とする帯域通過フィルタでコンポジット信号ａから色信号を取り出し、この色信号を復調し、マトリックス回路によってＲ，Ｇ，Ｂ信号を得る。そして、このＲ，Ｇ，Ｂ信号を増幅してＲ，Ｇ，Ｂ駆動信号ＲＤ，ＧＤ，ＢＤを出力する。
【００２３】
次に、Ｙ／Ｃ信号ｆが入力されたときの動作について説明する。まず、Ｙ信号を増幅して輝度駆動信号ＹＤを出力する。また、Ｙ信号中の垂直同期信号および水平同期信号から同様にして垂直走査駆動信号ＶＤおよび水平走査駆動信号ＨＤを出力する。さらに、マトリックス回路によってＹ信号および２つのＣ信号からＲ，Ｇ，Ｂ信号を得る。そして、このＲ，Ｇ，Ｂ信号を増幅してＲ，Ｇ，Ｂ駆動信号ＲＤ，ＧＤ，ＢＤを出力する。
【００２４】
いずれの場合も、上記の輝度駆動信号ＹＤ、垂直走査駆動信号ＶＤ、水平走査駆動信号ＨＤおよびＲ，Ｇ，Ｂ駆動信号ＲＤ，ＧＤ，ＢＤによってＣＲＴ４９が駆動され、ＣＲＴ４９に映像が表示される。
【００２５】
次に、ＤＶＤ記録再生装置一体型テレビジョン受像機１の動作について説明する。図２はテレビ部４の動作を示すフローチャートであり、図３はＤＶＤ装置部２の動作を示すフローチャートである。まず、図２を参照してテレビ部４の動作について説明する。電源が投入されると、テレビ部４のＣＰＵ４１は放送映像信号であるコンポジット信号ａを選択するように映像信号選択部４７を設定する（Ｓ１）。このとき、放送音声信号ｂを選択するように音声信号選択部５０も設定する（Ｓ２）。このとき、チューナ４５は、チューナ４５の内部のメモリーに記憶されている局番に従って放送信号を選局している。
【００２６】
次に、ＣＰＵ４１はＤＶＤ装置部２のＣＰＵ２１から送信された初期化終了通知を受信したか否かを判断する（Ｓ３）。受信した場合は、Ｙ／Ｃ信号ｆを選択するように映像信号選択部４７を設定し（Ｓ４）、Ｓ３に戻る。尚、次回にＳ３が実行されるときはＮＯと判断されるように、不図示の制御フラグによってテレビ部４の動作が制御されている。初期化終了通知を受信していない場合は、ＣＰＵ４１はＤＶＤ再生中通知を受信したか否かを判断する（Ｓ５）。受信した場合は、ＤＶＤ２５の再生音声信号ｇを選択するように音声信号選択部５０を設定して（Ｓ６）、Ｓ３に戻る。このＤＶＤ再生中通知は初期化終了通知の受信後に受信されるので、この時点では映像信号選択部４７はＹ／Ｃ信号ｆを選択するように既に設定されている。ＤＶＤ再生中通知を受信していない場合は、ＣＰＵ４１は操作部４４の操作キーが押されたか否かを判断する（Ｓ７）。
【００２７】
操作キーが押されていない場合はＳ３に戻る。押された場合は、ＣＰＵ４１は当該操作キーがＤＶＤ装置部２用の操作キーであるか否かを判断する（Ｓ８）。ＤＶＤ装置部２用の操作キーである場合は、当該操作キーの情報をＤＶＤ装置部２のＣＰＵ２１に送信して（Ｓ９）、Ｓ３に戻る。但し、初期化終了通知を未受信のときは、操作キーの情報を送信しないようにする。当該操作キーがＤＶＤ装置部２用の操作キーではない場合は、ＣＰＵ４１は本発明の直接的事項ではない他の処理を行う（Ｓ１０）。例えば、音量をアップ／ダウンさせる操作キーが押されたときは、ＣＰＵ４１は音声信号増幅部５１の増幅率を変えることによってスピーカ５２の音量を増減する。また、選局用の操作キーが押されたときは、チューナ４５に局番情報を設定する。さらに、ＤＶＤ２５の再生中に選局用の操作キーが押されたときには、増幅／検波回路４６から出力される音声信号ｂが選択されるように、ＣＰＵ４１は音声信号選択部５０を設定する。その後、Ｓ３に戻る。
【００２８】
次に、図３を参照してＤＶＤ装置部２の動作について説明する。電源が投入されると、ＣＰＵ２１はＤＶＤ装置部２の各部（記録再生部２６等）を初期化する（Ｓ２１）。この初期化の処理において、ＣＰＵ２１は、フラッシュメモリー２４に保存されているデータを読み出し、ＤＶＤ装置部２が所望の動作を行うように、これらのデータを記録再生部２６、ＭＰＥＧ２エンコーダ２７、ＭＰＥＧ２デコーダ３０、ビデオエンコーダ３１およびビデオデコーダ２８の不図示のレジスタ等の設定部ならびにＲＡＭ２３に設定する。この際、読み出されたデータを必要に応じて加工し、加工されたデータを設定する。次に、ＣＰＵ２１は放送映像信号ｄ（ビデオデコーダ２８の出力信号）をエンコードするようにビデオエンコーダ３１を設定し（Ｓ２２）、テレビ部４のＣＰＵ４１に初期化終了通知を送信する（Ｓ２３）。
【００２９】
次に、ＣＰＵ２１はテレビ部４のＣＰＵ４１から操作キーの情報を受信したか否かを判断する（Ｓ２４）。受信していない場合はＳ２４を繰り返し実行する。受信した場合は、ＣＰＵ２１は当該操作キーがＤＶＤ２５の再生用の操作キーであるか否かを判断する（Ｓ２５）。ＤＶＤ２５の再生用の操作キーである場合は、ＣＰＵ２１は記録再生部２６の回転駆動機構等を動作させることによりＤＶＤ２５の再生を開始する（Ｓ２６）。次に、ＤＶＤ２５の再生映像信号ｃ（ＭＰＥＧ２デコーダ３０の出力信号）をエンコードするようにビデオエンコーダ３１を設定し（Ｓ２７）、テレビ部４のＣＰＵ４１にＤＶＤ再生中通知を送信して（Ｓ２８）、Ｓ２４に戻る。Ｓ２５で当該操作キーがＤＶＤ２５の再生用の操作キーではないと判断した場合は、ＣＰＵ２１は本発明の直接的事項ではない他の処理を行う（Ｓ２９）。例えば、録画キーが押されたときは、ＣＰＵ２１はチューナ４５で選局されている放送番組をＤＶＤ２５に録画する。その後、Ｓ２４に戻る。
【００３０】
上記の説明をまとめると、ＤＶＤ記録再生装置一体型テレビジョン受像機１の電源が投入されてＤＶＤ装置部２の各部の初期化が行われている間は、コンポジット信号ａによって放送映像がＣＲＴ４９に表示されるので、初期化処理の終了を待つことなく放送番組を視聴できる。また、初期化処理の終了後には、ビデオエンコーダ３１から出力されるＹ／Ｃ信号ｆによって放送映像がＣＲＴ４９に表示されるので、コンポジット信号ａによる放送映像よりも綺麗な放送映像を鑑賞できる。一方、ＤＶＤ２５が再生されているときには、再生データがビデオエンコーダ３１でＹ／Ｃ信号にエンコードされ、このＹ／Ｃ信号ｆによってＤＶＤ２５の再生データの映像がＣＲＴ４９に表示される。
【００３１】
以上述べた実施形態においては、デジタル化された放送映像信号ｄまたはＤＶＤ２５の再生映像信号ｃのいずれかをビデオエンコーダ３１でＹ／Ｃ信号にエンコードし、映像信号選択部４７でコンポジット信号ａまたはＹ／Ｃ信号ｆのいずれかを選択する場合について説明したが、これに代えて図４（ａ）または（ｂ）に示される構成としてもよい。
【００３２】
図４（ａ）では、ビデオデコーダ２８によってコンポジット信号ａから生成されたＹ／Ｃ信号ｆも映像信号選択部４７に入力し、映像信号選択部４７でコンポジット信号ａ、ＤＶＤ２５の再生映像信号がエンコードされたＹ／Ｃ信号ｆまたはコンポジット信号ａから生成されたＹ／Ｃ信号ｈのいずれかを選択する。図４（ｂ）では、第２映像信号選択部３４を設け、第２映像信号選択部３４でＤＶＤ２５の再生映像信号がエンコードされたＹ／Ｃ信号ｆまたはコンポジット信号ａから生成されたＹ／Ｃ信号ｈのいずれかを選択する。そして、映像信号選択部４７でコンポジット信号ａまたは第２映像信号選択部３４から出力されるＹ／Ｃ信号ｆ，ｈのいずれかを選択する。この場合、映像信号選択部４７および第２映像信号選択部３４が本発明の信号選択部に相当する。
【００３３】
また、上記実施形態では、放送信号がＤＶＤ２５に記録される場合について説明したが、記録媒体はＤＶＤ２５以外のもの（例えば、ハードディスク）であってもよい。さらに、上記実施形態では、チューナ４５が１つである場合について説明したが、裏番組を録画できるようにＤＶＤ装置部２にも別のチューナが設けられる場合であっても本発明を実施することができる。さらに、上記実施形態では、ＣＰＵ４１（第１制御部）でテレビ部４を制御し、ＣＰＵ２１（第２制御部）でＤＶＤ装置部２を制御する場合について説明したが、１つの制御部でテレビ部４およびＤＶＤ装置部２を制御するようにしてもよい。
【図面の簡単な説明】
【００３４】
【図１】本発明に係るＤＶＤ記録再生装置一体型テレビジョン受像機のブロック図である。
【図２】テレビ部の動作を示すフローチャートである。
【図３】ＤＶＤ装置部の動作を示すフローチャートである。
【図４】映像信号選択部の他の実施形態を示す図である。
【符号の説明】
【００３５】
１    ＤＶＤ記録再生装置一体型テレビジョン受像機（記録再生装置一体型テレビジョン受像機）
２    ＤＶＤ記録再生装置部（ＤＶＤ装置部）
４    テレビジョン受像機部（テレビ部）
２１  ＣＰＵ（制御部、第２制御部）
２５  ＤＶＤ（記録媒体）
２６  記録再生部
２８  ビデオデコーダ
３１  ビデオエンコーダ
３３  信号経路
３４  第２映像信号選択部（信号選択部）
４１  ＣＰＵ（制御部、第１制御部）
４５  チューナ（放送受信部）
４６  増幅／検波回路（放送受信部）
４７  映像信号選択部（信号選択部）
４９  ＣＲＴ（映像表示部）
ａ    コンポジット信号
ｆ    Ｙ／Ｃ信号
【図１】
2005167740.tif 000003
【図２】
2005167740.tif 000004
【図３】
2005167740.tif 000005
【図４】
2005167740.tif 000006